(57)【特許請求の範囲】
【請求項１】
予め定められた指示範囲Ｅ内で指示表示を行う表示手段を有し、前記表示手段の指示範囲内の所定指示範囲をハイブリッド車の全動力パワーの動力指示範囲として割り振って、前記ハイブリッド車のエンジンパワーと電動パワーとの比率を前記表示手段に指示表示するハイブリッド車用動力表示装置であって、
前記ハイブリッド車のエンジンパワー及び電動パワーの動力情報を取得する動力情報取得手段と、
前記全動力パワーにおける前記エンジンパワー又は前記電動パワーの比率を前記取得した動力情報に基づいて算出する比率算出手段と、
前記算出した比率を前記表示手段が前記動力指示範囲内で指示表示するように制御する表示制御手段と、
を有し、
前記動力指示範囲は、その上限に前記全動力パワーが対応付けられる予め定められた固定範囲であることを特徴とするハイブリッド車用動力表示装置。
【請求項２】
前記表示手段は、前記動力指示範囲における前記エンジンパワーの比率の少ない予め定められた所望範囲が前記ハイブリッド車のエコノミー運転表示領域となっていることを特徴とする請求項１に記載のハイブリッド車用動力表示装置。
【請求項３】
前記表示手段の指示範囲は、前記動力指示範囲と、前記動力指示範囲に連なり且つ前記ハイブリッド車の充電状態を指示表示する充電指示範囲と、を有して構成し、
前記ハイブリッド車の充電状態情報を取得する充電状態情報取得手段と、
前記取得した充電状態情報に基づいて前記ハイブリッド車が充電中であるか否かを判定する充電判定手段と、を有し、
前記表示制御手段は、前記充電判定手段が充電中であると判定した場合に、前記充電状態を前記充電指示範囲内で指示表示するように前記表示手段を制御する手段であることを特徴とする請求項１又は２に記載のハイブリッド車用動力表示装置。
【発明の詳細な説明】
【技術分野】
【０００１】
本発明は、ハイブリッド車の動力状態を表示するハイブリッド車用動力表示装置に関するものである。
【背景技術】
【０００２】
ハイブリッド車は、内燃機関により駆動力を発生するエンジンと、電力により駆動力を発生する電気モーターなどの電動機とを併用して動く自動車である。ハイブリッド車は、いくつかの動力源を組み合わせて、それぞれの利点を活かしながら低燃費と低排出を実現した環境にやさしい自動車であり、ガソリンだけで走る場合より燃費が向上し、二酸化炭素、黒鉛などの排出を減らしている。
【０００３】
ハイブリッド車は、発進時に電動機を使用し、加速時にエンジンと電動機を併用し、一定走行時にエンジンで走りながら、余剰の動力を発電機を作動させて充電する。そして、減速時に電動機による回生発電で充電を行う。このように、エンジンの苦手な走行条件で巧みに電動機を使い、エンジンを働かせているときは効率よく運転して余剰の駆動力を充電に回している。
【０００４】
特許文献１に示すハイブリッド電気自動車用表示装置は、エンジンから出力するエンジンパワーと電動機から出力する電動パワーとを加算した合計パワーを表示する第１表示器と、エンジンパワーと電動パワーの少なくとも一方を表示する第２表示器とを備え、第１，第２表示器が、共通の指標または共通の単位に基づいて表示を行うように構成され、且つ、第１，第２表示器の各表示が並列するように構成している。
【先行技術文献】
【特許文献】
【０００５】
【特許文献１】特開２００７−２３７９７０号公報
【発明の概要】
【発明が解決しようとする課題】
【０００６】
上述した従来のハイブリッド電気自動車用表示装置では、動力量（ｋＷ等）を指針で表示する指針式表示器と、エンジンパワーとモータパワーとの両方をバーグラフで表示するバーグラフ表示器と、を組み合わせなければならず、運転している運転者にとっては、視認し難いという問題があった。一方、製造側にとっては、２つ以上の表示器を組み合わせる必要があるため、装置構造が複雑化し、コストダウンを図ることが困難であるという問題があった。また、視認性の向上のために、上述した指針式表示器とバーグラフ表示器を分離することも考えられるが、自動車には速度計、回転計、燃料計、温度計、等の複数の計器が搭載されているため、そこに２つの指針式表示器とバーグラフ表示器を追加するのは困難であった。
【０００７】
よって本発明は、上述した問題点に鑑み、安価かつ省スペースの１つの指示表示構造でハイブリッド車の動力状態を表示することができるハイブリッド車用動力表示装置を提供することを課題としている。
【課題を解決するための手段】
【０００８】
上記課題を解決するため本発明によりなされた請求項１記載のハイブリッド車用動力表示装置は、図１の基本構成図に示すように、予め定められた指示範囲Ｅ内で指示表示を行う表示手段２を有し、前記表示手段２の指示範囲Ｅ内の所定指示範囲をハイブリッド車の全動力パワーの動力指示範囲Ｅ１として割り振って、前記ハイブリッド車のエンジンパワーと電動パワーとの比率を前記表示手段２に指示表示するハイブリッド車用動力表示装置１であって、前記ハイブリッド車のエンジンパワー及び電動パワーの動力情報を取得する動力情報取得手段１１ａと、前記全動力パワーにおける前記エンジンパワー又は前記電動パワーの比率を前記取得した動力情報に基づいて算出する比率算出手段１１ｂと、前記算出した比率を前記表示手段２が前記動力指示範囲Ｅ１内で指示表示するように制御する表示制御手段１１ｃと、を有し、前記動力指示範囲Ｅ１は、その上限に前記全動力パワーが対応付けられる予め定められた固定範囲であることを特徴とする。
【０００９】
上記請求項１に記載した本発明のハイブリッド車用動力表示装置によれば、表示手段２の指示範囲Ｅ内の所定指示範囲がハイブリッド車の全動力パワーの動力指示範囲Ｅ１として割り振られる。そして、動力情報取得手段１１ａによってハイブリッド車のエンジン出力、モータ駆動電力、等を示す動力情報が取得されると、ハイブリッド車の全動力パワーにおけるエンジンパワー又は電動パワーの比率が比率算出手段１１ｂによって前記動力情報に基づいて算出される。そして、該算出した比率が動力指示範囲Ｅ１内で指示表示されるように表示手段２が表示制御手段１１ｃによって制御されることから、エンジンパワーと電動パワーの比率を動力指示範囲Ｅ１の指示表示で認識することができる。
【００１０】
請求項２記載の発明は、図１の基本構成図に示すように、請求項１に記載のハイブリッド車用動力表示装置１において、前記表示手段２は、前記動力指示範囲Ｅ１における前記エンジンパワーの比率の少ない予め定められた所望範囲が前記ハイブリッド車のエコノミー運転表示領域Ｅ１１となっていることを特徴とする。
【００１１】
上記請求項２に記載した本発明のハイブリッド車用動力表示装置によれば、動力指示範囲Ｅ１内のエンジンパワーの比率が少ない所望範囲がハイブリッド車のエコノミー運転表示領域Ｅ１１となっていることから、表示手段２がエコノミー運転表示領域Ｅ１１を指示表示していれば、エコノミー運転と判断することができる。
【００１２】
請求項３記載の発明は、図１の基本構成図に示すように、請求項１又は２に記載のハイブリッド車用動力表示装置１において、前記表示手段２の指示範囲Ｅは、前記動力指示範囲Ｅ１と、前記動力指示範囲Ｅ１に連なり且つ前記ハイブリッド車の充電状態を指示表示する充電指示範囲Ｅ２と、を有して構成し、前記ハイブリッド車の充電状態情報を取得する充電状態情報取得手段１１ｄと、前記取得した充電状態情報に基づいて前記ハイブリッド車が充電中であるか否かを判定する充電判定手段１１ｅと、を有し、前記表示制御手段１１ｃは、前記充電判定手段１１ｅが充電中であると判定した場合に、前記充電状態を前記充電指示範囲Ｅ２内で指示表示するように前記表示手段２を制御する手段であることを特徴とする。
【００１３】
上記請求項３に記載した本発明のハイブリッド車用動力表示装置によれば、表示手段２の指示範囲Ｅは、動力指示範囲Ｅ１と充電指示範囲Ｅ２とが連なって構成されている。そして、電状態情報取得手段１１ｄによって充電状態情報が取得されると、充電判定手段１１ｅによってハイブリッド車が充電中であるか否かが判定される。そして、充電中であると判定された場合、その充電状態を充電指示範囲Ｅ２内で指示表示するように表示手段２が表示制御手段１１ｃによって制御される。
【発明の効果】
【００１４】
以上説明したように請求項１に記載した本発明によれば、表示手段の指示範囲内で動力指示範囲を割り振り、該動力指示範囲内でハイブリッド車の全動力パワーにおけるエンジンパワー又は電動パワーの比率を指示表示するようにしたことから、１つの表示手段の指示範囲内で、ハイブリッド車におけるエンジンパワーとモータパワーの動力状態を指示表示することができる。従って、従来のようにハイブリッド車の動力状態を表示するために複数の表示器を組み合わせる必要がないため、安価かつ省スペースでハイブリッド車の動力状態を表示することができる。また、複数の表示器を参照する必要がないことから、運転中の運転者でも咄嗟に動力状態を認識することができるため、視認性の向上を図ることができる。さらに、表示手段として指針式表示装置を用いることができるため、液晶ディスプレイ装置を用いるよりもコストを抑えることができる。
【００１５】
請求項２に記載の発明によれば、請求項１に記載の発明の効果に加え、動力指示範囲内におけるエンジンパワーの比率が少ない所望範囲をエコノミー運転表示領域としたことから、１つの表示手段の指示範囲内で、ハイブリッド車におけるエンジンパワーとモータパワーの動力状態を指示表示することができると共に、エコノミー運転を指示表示することができる。従って、動力状態を全動力パワーに対する比率で指示表示するようにしたことから、エンジンパワーの比率が少ない所望範囲をエコノミー運転表示領域とできるため、１つの動力指示範囲内でエコノミー運転も表示することができる。
【００１６】
請求項３に記載の発明によれば、請求項１又は２に記載の発明の効果に加え、表示手段の指示範囲を動力指示範囲と充電指示範囲とし、ハイブリッド車の動力状態を表示する必要のないハイブリッド車が充電中の場合は、充電指示範囲で充電状態を指示表示するようにしたことから、１つの表示手段の指示範囲内における充電指示範囲で充電状態を指示表示できるため、複数の表示器を組み合わせる必要がなく、１つの表示手段を無駄なく利用することができる。
【図面の簡単な説明】
【００１７】
【図１】本発明に係るハイブリッド車用動力表示装置の基本構成を示す構成図である。
【図２】本発明に係るハイブリッド車用動力表示装置の表示形態の一例を示す正面図である。
【図３】図２のハイブリッド車用動力表示装置の概略構成を示す構成図である。
【図４】図３中のＣＰＵが実行する本発明に係る動力表示制御処理の一例を示すフローチャートである。
【発明を実施するための形態】
【００１８】
以下、本発明に係るハイブリッド車用動力表示装置の一実施形態を、図１〜図４の図面を参照して以下に説明する。なお、ハイブリッド車は動力源を２つ以上搭載している自動車であり、本実施形態では、ガソリンエンジンと電気モーターとの２つの動力源を搭載しているハイブリッド車を前提に説明する。
【００１９】
図２において、ハイブリッド車用動力表示装置（以下、動力表示装置とも言う）１は、ハイブリッド車に搭載されて、ハイブリッド車のエンジンパワーと電動パワーとの比率を１つの表示領域内で指示表示する。そして、動力表示装置１は、ハイブリッド車の車両ネットワークに通信可能に接続されている。なお、本実施形態では車両ネットワークにおける通信プロトコルを、公知であるＣＡＮ（Controller Area Network）とする場合について説明するが、例えばＬＩＮ（Local Interconnect Network）等の各種通信プロトコルを採用することができる。
【００２０】
動力表示装置１は、図２，３に示すように、１つの表示手段２と、該表示手段２を制御する制御部１０と、を有して構成している。
【００２１】
まず、表示手段２は、指針２０と、文字板３０と、を有する指針式計器（メータ）となっている。そして、指針２０は、公知であるように、文字板３０の表面側に配置され、指針本体２１と、該指針本体２１の回動中心を覆う指針キャップ２２と、を有している。指針本体２１は、指針の回動中心から先端に向かって延びる指示部を有している。指針本体２１は、内機の出力軸の先端に固着されており、計測量に応じて出力軸が回動されることで、指針本体２１は計測量に応じた指示位置を指示する。
【００２２】
文字板３０は、例えば、ポリカーボネイト等の透光性の合成樹脂で略円板状に形成されている。文字板３０は、図２に示すように、指針２０に対応して予め定められた指示範囲Ｅに対応した周縁部寄りの表面に、目盛及び数字、文字または記号等の指標３１が付されている。指標３１は、その周りの文字板３０の表面に、非透過性部材の印刷等によって文字板３０の生地色等に抜いて形成されている。即ち、文字板３０は、指標３１の部分が透過性、その周りが非透過性となっているため、文字板３０の裏面側に配置した光源を点灯させることで、運転者等に指標３１を発光視認させることができる。
【００２３】
文字板３０の予め定められた指示範囲Ｅは、指針２０によって指示表示可能な範囲であり、文字板３０の周縁部寄りの蹄状の部分となっている。文字板３０の指示範囲Ｅは、動力指示範囲Ｅ１と、該動力指示範囲Ｅ１に連なり且つハイブリッド車の充電状態を指示表示する充電指示範囲Ｅ２と、を有している。そして、本実施形態の動力指示範囲Ｅ１は、ハイブリッド車の全動力パワーのうちのエンジンパワーの比率を示すための指示範囲となっている。
【００２４】
なお、全動力パワーは、電動パワーとエンジンパワーとを加算した合計パワーであり、一例としては、モータ電力値とエンジン出力値とを共通単位（例えば［Ｗ］等）で計算し、パーセント換算して求める。そして、比率はエンジン出力値／（モータ電力値＋エンジン出力値）の算出式から算出する。なお、ハイブリッド車の動力が３種類以上の場合は、その全てのパワーを加算した結果が全動力パワーとすることが可能であり、任意のパワーのみを加算した結果を全動力パワーとすることもできる。
【００２５】
動力指示範囲Ｅ１は、０〜１００までの間で比率を指示表示する範囲であり、その単位は［ＰＯＷＥＲ％］としている。指標３１は、その範囲中の０，２０，４０，６０，８０，１００に対応した文字板３０の指示位置の各々に設けられている。そして、動力指示範囲Ｅ１は、エンジンパワーの比率が少ない予め定められた０〜２０［ＰＯＷＥＲ％］の所望範囲であるハイブリッド車のエコノミー運転表示領域Ｅ１１と、それ以外の２１〜１００［ＰＯＷＥＲ％］の範囲である通常時の動力表示領域Ｅ１２と、に区分している。なお、エコノミー運転表示領域Ｅ１１については、その範囲を任意に設定することができる。
【００２６】
充電指示範囲Ｅ２は、指示範囲Ｅから動力指示範囲Ｅ１を差し引いた範囲であり、動力指示範囲Ｅ１の０より下側に連なって割り振られている。充電指示範囲Ｅ２は、ハイブリッド車のバッテリーのフル充電からバッテリーなしまでを指示表示するための範囲となっている。なお、充電指示範囲Ｅ２は、動力指示範囲Ｅ１の１００より上側に連なって割り振ってもよいが、本実施形態のように、動力指示範囲Ｅ１の０より下側に割り振ることで、動力指示範囲Ｅ１から充電指示範囲Ｅ２に指針２０をスムーズに移行させることができる。また、充電指示範囲Ｅ２の単位は、電流値［Ａ］、電力値［ｋＷ］、などを任意に設定することができる。
【００２７】
文字板３０の表面には、エコノミー運転表示領域Ｅ１１と充電指示範囲Ｅ２の各々を示す領域名３３と、エコノミー運転表示領域Ｅ１１に対応したエコノミー帯部３４と、充電指示範囲Ｅ２に対応した充電帯部３５と、が印刷等によって付されている。そして、領域名３３は、エコノミー運転表示領域Ｅ１１を“ＥＣＯ”、充電指示範囲Ｅ２を“ＣＨＧ”として各々の近傍に設けられている。
【００２８】
エコノミー帯部３４は、エコノミー運転表示領域Ｅ２にわたって帯状に所望の表示色で形成されている。充電帯部３５は、エコノミー帯部３５から連なった充電指示範囲Ｅ２にわたって帯状に形成されおり、表示色はエコノミー帯部３４とは異なった表示色となっている。なお、エコノミー帯部３４と充電帯部３５は、文字板３０の表面に透光性着色部材で形成して、文字板３０の裏側に配置した光源からの光によって光輝させる実施形態とすることもできる。
【００２９】
次に、制御部１０は、図３に示すように、ＣＰＵ（central processing unit）１１と、ＲＯＭ（read only memory）１２と、ＲＡＭ（random access memory）１３と、ＥＥＰＲＯＭ（electrically erasable programmable read only memory）１４と、通信部１５と、を有している。
【００３０】
ＣＰＵ１１は、メータＥＣＵ１全体の制御を司り、ＲＯＭ１２に記憶されているプログラムに従った制御を行う。ＣＰＵ１１は、電源回路１１ｂを介して車両のバッテリーから供給される電力によって動作する。ＣＰＵ１１は、インタフェース（Ｉ／Ｆ）１１ｉを介して車両のイグニッションスイッチ（ＩＧＮ＋）のＯＦＦ状態からＯＮ状態への変化に応じて起動し、ＩＧＮ＋のＯＮ状態からＯＦＦ状態への変化に応じて動作を終了する。
【００３１】
ＲＯＭ１２は、図１に示す請求項中の動力情報取得手段１１ａ、比率算出手段１１ｂ、表示制御手段１１ｃ、充電状態取得手段１１ｄ、充電判定手段１１ｅ、等の各種手段としてＣＰＵ１１を機能させるための動力表示制御プログラム、等を記憶している。ＣＰＵ１１は、動力表示制御プログラムを実行することで、動力情報取得手段１１ａ、比率算出手段１１ｂ、表示制御手段１１ｃ、充電状態取得手段１１ｄ、充電判定手段１１ｅ、等の各種手段として機能することになる。
【００３２】
ＲＡＭ１３は、各種のデータを格納するとともにＣＰＵ１１の処理作業に必要なエリアを有している。そして、ＥＥＰＲＯＭ１４は、電気的消去／書き換え可能な読み出し専用のメモリであり、ＣＰＵ１１に電気的に接続されている。ＥＥＰＲＯＭ１４は、ＣＰＵ１１が取得したハイブリッド車のエンジン出力量、モータ駆動電力、バッテリー電流値、等を示す動力情報を時系列的に複数記憶することが可能な記憶領域を有している。動力情報は、データの種類毎に設けてもよいし、複数種類のデータを有する構成としてもよい。
【００３３】
通信部１５は、車両に構築されているＣＡＮ等の車載ネットワークにＩ／Ｆ１１ｉを介して通信可能に接続され、ＣＡＮ等の通信プロトコルで車載ネットワーク３に接続された他の電子機器と通信を行う。通信部１５は、ＣＰＵ１１から入力される情報を送信先に送信すると共に、他の電子機器から受信した情報をＣＰＵ１１に出力する。そして、本実施形態では、上述した動力情報を、ＣＡＮ通信により通信部１５を介して取得する場合について説明する。
【００３４】
また、ＣＰＵ１１にはモータドライバ１６と電気的に接続されている。そして、モータドライバ１６は、上記表示手段２の内機等と電気的に接続しており、ＣＰＵ１１の制御により各表示手段２の内機（モータ）を計測量に応じて駆動させる。これにより、各表示手段２は指針２０を計測量に応じた指示位置まで回動させ、文字板３０の指標３１と協働して計測量を表示する。
【００３５】
次に、上述したＣＰＵ１１が実行する動力表示制御処理の一例を、図４のフローチャートを参照して以下に説明する。
【００３６】
ＣＰＵ１１は、上記動力表示制御プログラムを実行すると、ステップＳ１１（動力情報取得手段及び充電状態情報取得手段に相当）において、通信部１５を介して動力情報及び充電状態情報を取得してＥＥＰＲＯＭ１４に時系列的に記憶し、その後ステップＳ１２の処理に進む。なお、動力情報の取得方法の一例としては、エンジン出力量、モータ駆動電力、バッテリー電流値をそれぞれに対応するＥＣＵ等から取得する方法や、エンジン出力量、モータ駆動電力を１つの動力情報として取得する方法、バッテリー電流値を示す充電状態情報のみをバッテリーや受電プラグから取得する方法、等の各種取得方法を用いることができる。
【００３７】
ＣＰＵ１１は、ステップＳ１２（充電判定手段に相当）において、取得した動力情報が示すバッテリー電流値に基づいて、ハイブリッド車のバッテリーが充電状態であるか否かを判定する。なお、充電状態であるか否かの判定方法は、例えば、バッテリーの電流値がマイナスであるか否かに基づいて判定する。そして、ＣＰＵ１１は、充電状態ではないと判定した場合（Ｓ１２でＮ）、ステップＳ１３の処理に進む。
【００３８】
ＣＰＵ１１は、ステップＳ１３（比率算出手段に相当）において、ステップＳ１１で取得した動力情報に基づいて、モータ電力値とエンジン出力値とを換算して単位を合致させ、エンジン出力値を（モータ電力値＋エンジン出力値）の合計値で除算し、該算出結果をパーセント換算して、ハイブリッド車における全動力におけるエンジンパワーの比率を求め、該比率を表示手段２の動力指示範囲Ｅ１における指示位置に換算してＲＡＭ１３等に記憶し、その後ステップＳ１５の処理に進む。
【００３９】
一方、ＣＰＵ１１は、ステップＳ１２で充電状態であると判定した場合（Ｓ１２でＹ）、ステップＳ１４において、ステップＳ１１で取得した動力情報が示すバッテリー電流値が、上述した表示手段２の充電指示範囲Ｅ２における指示位置に換算されてＲＡＭ１３等に記憶され、その後ステップＳ１５の処理に進む。
【００４０】
ＣＰＵ１１は、ステップＳ１５（表示制御手段に相当）において、ＲＡＭ１３等に記憶している表示手段２における指示位置に基づいて、該指示位置までの指針２０の回動をモータドライバ１６に要求することで、表示手段２の指示表示を制御し、その後ステップＳ１６の処理に進む。この処理により、モータドライバ１６は、指針２０の現在の指示位置から要求された指示位置まで指針２０を回動するように前記内機に電力を印加して駆動させ、指針２０を回動させる。
【００４１】
ＣＰＵ１１は、ハイブリッド車のアクセサリースイッチのＯＦＦ等に応じた終了要求を受けているか否かを判定する。ＣＰＵ１１は、終了要求を受けていないと判定した場合（Ｓ１６でＮ）、ステップＳ１１の処理に戻り、一連の処理を繰り返す。一方、ＣＰＵ１１は、終了要求を受けていると判定した場合（Ｓ１６でＹ）、図４に示す動力表示制御処理を終了する。
【００４２】
以上説明した図４に示す動力表示制御処理をＣＰＵ１１が実行することで、上述した図１に示す請求項中の動力情報取得手段１１ａ、比率算出手段１１ｂ、表示制御手段１１ｃ、充電状態取得手段１１ｄ、充電判定手段１１ｅ、等としてＣＰＵ１１が機能することになる。
【００４３】
次に、上述した動力表示装置１の本発明に係る動作（作用）の一例を、図２の図面を参照して以下に説明する。
【００４４】
動力表示装置１は、ハイブリッド車のアクセサリースイッチのＯＮ等に応じて起動されると、通信部１５を介して動力情報及び充電状態情報を取得し、該充電状態情報に基づいてハイブリッド車が充電状態であるか否かを判定する。そして、動力表示装置１は、充電状態でないと判定した場合、ハイブリッド車の全動力におけるエンジンパワーの比率を算出し、該比率を表示手段２に指示表示させる。
【００４５】
その結果、エンジンパワーの比率を、表示手段２の動力指示範囲Ｅ１内で指針２０によって指示表示する。そして、動力表示装置１は、エンジンパワーの比率が多い場合、表示手段２の動力指示範囲Ｅ１における動力表示領域Ｅ１２内で指示表示する。また、動力表示装置１は、エンジンパワーの比率が少ない場合、即ち、ハイブリッド車が電動パワーで動作している場合は、表示手段２のエコノミー運転表示領域Ｅ１１内で指示表示する。よって、運転者は、表示手段２の動力指示範囲Ｅ１内の指針２０の指示位置を認識することで、ハイブリッド車の動力状態を咄嗟に認識することができる。そして、運転者がエコノミー運転を心がける場合、指針２０の指示位置がエコノミー運転表示領域Ｅ１１内に位置するように運転すれば良いため、エコノミー運転を支援することができる。
【００４６】
また、ハイブリッド車が充電中である場合、エンジンパワーと電動パワーの比率は０となるが、動力表示装置１は、表示手段２の動力指示範囲Ｅ１の０以下の部分が充電指示範囲Ｅ２となっているため、充電指示範囲Ｅ２内でバッテリーの充電状態を指示表示する。よって、運転者等は、充電指示範囲Ｅ２内の指針２０の指示位置を認識することで、バッテリーの充電状態を認識することができる。
【００４７】
以上説明した動力表示装置１によれば、表示手段２の指示範囲Ｅ内で動力指示範囲Ｅ１を割り振り、該動力指示範囲Ｅ１内でハイブリッド車の全動力パワーにおけるエンジンパワー又は電動パワーの比率を指示表示するようにし、該エンジンパワーの比率が少ない所望範囲をエコノミー運転表示領域Ｅ１１としたことから、１つの表示手段２の指示範囲Ｅ内で、ハイブリッド車におけるエンジンパワーとモータパワーの動力状態を指示表示することができると共に、エコノミー運転を指示表示することができる。従って、従来のようにハイブリッド車の動力状態を表示するために複数の表示器を組み合わせる必要がないため、安価かつ省スペースでハイブリッド車の動力状態を表示することができる。また、複数の表示器を参照する必要がないことから、運転中の運転者でも咄嗟に動力状態を認識することができるため、視認性の向上を図ることができる。さらに、動力状態を全動力パワーに対する比率で指示表示するようにしたことから、エンジンパワーの比率が少ない所望範囲をエコノミー運転表示領域とできるため、１つの動力指示範囲内でエコノミー運転も表示することができる。
【００４８】
また、表示手段２の指示範囲Ｅを動力指示範囲Ｅ１と充電指示範囲Ｅ２とし、ハイブリッド車の動力状態を表示する必要のないハイブリッド車が充電中の場合は充電指示範囲Ｅ２で充電状態を指示表示するようにしたことから、１つの表示手段２の指示範囲Ｅ内における充電指示範囲Ｅ２で充電状態を指示表示できるため、複数の表示器を組み合わせる必要がなく、１つの表示手段２を無駄なく利用することができる。
【００４９】
なお、上述した実施形態では、表示手段２の動力指示範囲Ｅ１がハイブリッド車の全動力のうちのエンジンパワーの比率を指示表示する場合について説明した。これに代えて、全動力に対する電動パワーの比率を表示することが可能であり、この場合は、図２に示す動力指示範囲Ｅ１の例えば８０〜１００の範囲がエコノミー運転表示領域Ｅ１１となる。
【００５０】
また、表示手段２の動力指示範囲Ｅ１と充電指示範囲Ｅ２は、操作スイッチの操作によって表示範囲を切り替える実施形態とすることもできる。さらに、上述した表示手段２は、指針２０を回動させる場合場合について説明したが、これに代えて、指針２０を直線的に移動させる実施形態とすることもできる。
【００５１】
さらに、上述した実施形態では、動力表示装置１の動力指示範囲Ｅ１におけるエンジンパワーの比率が少ない所望範囲をエコノミー運転表示領域Ｅ１１とした場合について説明した。これに代えて、表示手段２の動力指示範囲Ｅ１に上述したエコノミー運転表示領域Ｅ１１を設けずに、動力状態を単に表示する実施形態とすることもできる。
【００５２】
また、上述した実施形態では、表示手段２を指針式計器とした場合について説明したが、これに代えて、例えば全面又は一部が液晶ディスプレイのグラフィックメータを表示手段２に適用することもできる。
【００５３】
このように上述した実施例は本発明の代表的な形態を示したに過ぎず、本発明は、実施形態に限定されるものではない。即ち、本発明の骨子を逸脱しない範囲で種々変形して実施することができる。
【符号の説明】
【００５４】
１    ハイブリッド車用動力表示装置（動力表示装置）
２    表示手段
１１ａ    動力情報取得手段（ＣＰＵ）
１１ｂ    比率算出手段（ＣＰＵ）
１１ｃ    表示制御手段（ＣＰＵ）
１１ｄ    充電状態情報取得手段（ＣＰＵ）
１１ｅ    充電判定手段（ＣＰＵ）
Ｅ    指示範囲
Ｅ１    動力指示範囲
Ｅ２    充電指示範囲
Ｅ１１    エコノミー運転表示領域
Ｅ１２    動力表示領域
【図１】
0005501075.tif 000002
【図２】
0005501075.tif 000003
【図３】
0005501075.tif 000004
【図４】
0005501075.tif 000005